(57)【要約】【課題】一方では案内と回転に対する防護とがアバットメントに関して維持されるとともに、他方ではクロージャスクリューの良好な案内が達成されるような態様の前記種類の歯科インプラントを提供する。【解決手段】本発明は、人間の顎骨に適用される歯科インプラント（１０）であって、遠位端（１６）の方向に開口するとともにアバットメント（５０）の縦方向部分を受けるように設計される円筒穴（２０）を有し、前記遠位端（１６）に隣接する前記穴（２０）の第１の縦方向部分（２２）は、第１の円筒状案内面（２８）を有する歯科インプラント（１０）に関する。前記第１の縦方向部分（２２）の領域において、半径方向内方に突出するとともに、いずれの場合も前記第１の案内面に対して同心的に位置する第２の案内面（３６）を有する少なくとも２個のカム（３０）が設けられる（図１ｂ）。【選択図】図１
2009525064.tif 000002
【特許請求の範囲】
【請求項１】
人間の顎骨に適用される歯科インプラントであって、遠位端の方向に開口するとともにアバットメント（５０）の縦方向部分を受けるように設計される円筒穴（２０）を有し、前記遠位端に隣接する前記穴（２０）の第１の縦方向部分（２２）は、第１の円筒状案内面（２８）を有する歯科インプラントにおいて、前記第１の縦方向部分（２２）の領域に、半径方向内方に突出するとともに、いずれの場合も前記第１の案内面に対して同心的に位置する第２の案内面（３６）を有する少なくとも２個のカム（３０）が設けられることを特徴とする歯科インプラント。
【請求項２】
前記第１の縦方向部分（２２）の周方向に互いに等距離をおいて配置される少なくとも３個のカム（３０）が設けられることを特徴とする請求項１に記載の歯科インプラント。
【請求項３】
各々の前記カム（３０）は、前記穴（２０）の近位端（１４）の方に向けられるとともに前記第１の案内面（２８）に対して垂直に延在する面を有することを特徴とする請求項１または２に記載の歯科インプラント。
【請求項４】
前記第１の縦方向部分（２２）の近位端に隣接するとともに前記第１の縦方向部分（２２）より小さい直径を有する第２の縦方向部分（２４）を有し、前記第２の縦方向部分（２４）の直径は、前記カム（３０）の前記第２の案内面（３６）がその上に位置する円の直径に対応することを特徴とする前記請求項のいずれか１項に記載の歯科インプラント。
【請求項５】
各々の前記カム（３０）は、前記遠位端の方に向けられるとともに前記遠位端から離れて前記第１の案内面（２８）まで前記近位端（１４）に対して斜めに下降する上面を有することを特徴とする前記請求項のいずれか１項に記載の歯科インプラント。
【請求項６】
前記第２の縦方向部分（２４）は、ねじ山（２６）を有することを特徴とする請求項３に記載の歯科インプラント。
【請求項７】
前記近位端（１４）から始まって少なくとも歯科インプラントの長さの一部分にわたって延在する外ねじ（１８）が設けられることを特徴とする前記請求項のいずれか１項に記載の歯科インプラント。
【請求項８】
前記カム（３０）の前記上面は、直接前記穴（２０）の前記遠位端（１６）に配置されることを特徴とする前記請求項のいずれか１項に記載の歯科インプラント。
【請求項９】
前記穴（２０）の縦方向に、前記カム（３０）は、前記第１の縦方向部分（２２）の長さの一部分にわたって延在することを特徴とする前記請求項のいずれか１項に記載の歯科インプラント。
【請求項１０】
前記第１の案内面（２８）の直径に対応する外径を有するとともに少なくとも前記カム（３０）の個数に対応する個数の溝（６４）を有する円筒状縦方向部分を有し、前記カム（３０）と溝（６４）とは、協働して回転に対する防護手段としての役割を果たす請求項１〜１０のいずれか１項に記載の歯科インプラント用のアバットメント。
【請求項１１】
前記溝（６４）は、自身の近位端（６０）において円錐状の縦方向部分（６６）を有することを特徴とする請求項１０に記載のアバットメント。
【請求項１２】
歯科インプラントの前記穴（２０）を閉鎖するねじ頭（８２）と、前記ねじ頭（８２）に隣接する案内部（８５）と、歯科インプラントの前記第２の縦方向部分（２４）の前記ねじ山と係合するねじ部（８６）とを有する請求項１〜９のいずれか１項に記載の歯科インプラント（１０）用のクロージャスクリューにおいて、前記案内部（８５）の直径は、前記歯科インプラント（１０）の前記カム（３０）の前記第２の案内面（３６）により形成される直径に対応することを特徴とするクロージャスクリュー。
【発明の詳細な説明】
【技術分野】
【０００１】
本発明は、人間の顎骨に適用される歯科インプラントであって、遠位端の方向に開口するとともにアバットメントの縦方向部分を受けるように設計される円筒穴を有する歯科インプラントにおいて、遠位端に隣接する前記穴の第１の縦方向部分は第１の円筒状案内面を有する歯科インプラントに関する。加えて、本発明は、こうした歯科インプラント用のアバットメントとクロージャスクリューとに関する。
【背景技術】
【０００２】
前記の種類の歯科インプラントは、一般に周知である。歯科インプラントは、人間の顎骨に挿入されるとともに、然る後にアバットメントと呼ばれるものを受ける役割を果たす。このアバットメントは、その後、たとえば歯を形成するセラミック構造を支持する。アバットメントは、通常的に、ねじを手段として歯科インプラントに接続され、歯科インプラントとアバットメントとの間における接続を回転に対して固定するために追加の手段が設けられる。
【０００３】
たとえば、独国特許第１９６  ３３  ５７０号に、アバットメント（前記文献ではスペーサスリーブと呼ばれる）が挿入されうる歯科インプラントが説明されている。回転に対して固定するために、嵌合カムがアバットメントの嵌合部に設けられるとともに、これに対応して歯科インプラント内に設けられる溝と係合する。嵌合カムを有する嵌合部に加えて、この周知の解決策におけるアバットメントは、案内部と心合せカラーを有する心合せ部とを含み、これらの目的は、歯科インプラント内へのアバットメントの挿入を容易にすることと歯科インプラント内においてアバットメントを遊びなしに保持することとにある。
【０００４】
アバットメントが歯科インプラント内に挿入される前に、後者は、歯科インプラント内の穴が密封されるように、骨内で治癒過程においてクロージャスクリューによって閉鎖される。このクロージャスクリューを挿入するためには、同様に心合せと案内とを確実に行なって、前記ねじが歯科インプラント内に無理やり押し込まれてしまわないようにすることが必要である。前記文献に示されている歯科インプラントにおける前記穴は段付きの設計であることから、この目的に適する歯科インプラントの縦方向部分は下方に大きく離れて、すなわち上側縁部から遠くに配置されるため、クロージャスクリューの十分な案内を達成することは困難である。その結果として、クロージャスクリューが案内されるのは、歯科インプラント内にほとんど完全に挿入され終えてからである。
【特許文献１】独国特許第１９６  ３３  ５７０号
【発明の開示】
【発明が解決しようとする課題】
【０００５】
こうした背景技術に対して、本発明の目的は、一方では案内と回転に対する防護とがアバットメントに関して維持されるとともに、他方ではクロージャスクリューの良好な案内が達成されるような態様の前記種類の歯科インプラントを開発することにある。加えて、これらの機能は、歯科インプラントの可能な限り短い領域内において得られることとする。
【課題を解決するための手段】
【０００６】
冒頭に記載の歯科インプラントにおいて、前記およびその他の目的は、第１の縦方向部分の領域において、半径方向内方に突出するとともにいずれの場合も第１の案内面に対して同心的に配置される第２の案内面を有する少なくとも２個のカムが設けられることにより達成される。
【発明の実施の形態】
【０００７】
前記カムの内向きの面は、曲面を有するとともに、互いに前記穴の内面に対して同心的である仮想円筒面上に位置する。この設計のカムにより、クロージャスクリューは、挿入手順の開始時点から前記カムのこれら案内面上において案内されることが可能になる。これらの曲面形状は、これらのカムがクロージャスクリュー上に直接位置することを意味する。
【０００８】
回転に対する防護を達成するために、アバットメントは、前記カムが係合しうる溝を備える。
【０００９】
このように、アバットメントの回転に対する防護と、さらにまたクロージャスクリューのための案内機能とが、非常に小さい空間内において少数の施策で達成されうることがわかった。加えて、第１の縦方向部分の領域において、アバットメントに対して非常に大きい案内面を得ることができて、発生する高い力が容易に吸収されうるようになる。クロージャスクリューに作用する力ははるかに低いため、前記カムにより得られるはるかに小さい案内面でもこれらの力を十分に吸収することができる。
【００１０】
このように、本発明にしたがった解決策を用いることにより、非常に小さい空間内において複数の機能を最適に達成する歯科インプラントが創出されることがわかった。前述の歯科インプラントにおいて用いられる回転に対する防護は、本発明にしたがった解決策においてさらに他の機能を有して、この目的のために従来的に用いられてきた追加の手段を排除することができるようになる。
【００１１】
好適な開発形態によれば、第１の縦方向部分の周方向に互いに一定の距離をおいて配置される少なくとも３個のカムが設けられる。
【００１２】
この施策は、クロージャスクリューの案内が向上するという利点を有する。ここで、カム間において１２０°の距離を有する合計３個のカムが特に有利であることが立証された。
【００１３】
好適な開発形態において、各々のカムは、前記穴の近位端の方に向けられるとともに第１の案内面に対して垂直に延在する面を有する。
【００１４】
換言すれば、前記カムの下面は、歯科インプラントの縦軸に対して垂直に延在する。これらの面は、歯科インプラント内に挿入される構成要素が、該構成要素を回転させると歯科インプラントの前記カムと係合しうる相応の突起を備える場合に、固定のために用いられうる。
【００１５】
好適な開発形態において、前記第１の縦方向部分の近位端に隣接するとともに前記第１の縦方向部分より小さい直径を有する第２の縦方向部分が設けられ、この第２の縦方向部分の直径は、カムの第２の案内面が位置する直径に対応する。
【００１６】
この施策は、ねじ本体が１つの直径を有するだけでよいため、クロージャスクリューが非常に単純な設計を有しうるという利点を有する。
【００１７】
好適な開発形態において、各々のカムは、遠位端の方に向けられるとともに第１の案内面まで近位端に対して斜めに離れて延在する上面を有する。
【００１８】
換言すれば、カムの上面は、漏斗状に構成され、以ってアバットメントをより容易に歯科インプラントの穴に挿入することが可能になる。
【００１９】
好適な開発形態において、カムの上面は、前記穴の遠位端に直接配置される。
【００２０】
この施策は、歯科インプラント内においてわずかな空間しか必要とせず、さらにまたクロージャスクリューのための案内機能がすぐに得られるという利点を有する。
【００２１】
本発明の目的は、さらにまた、本発明にしたがった歯科インプラントに合わせられるとともに、第１の案内面に対応する外径と少なくともカムの個数に対応する個数の溝とを有する円筒状縦方向部分を有するアバットメントであって、前記カムと溝とが協働して回転に対する防護手段の役割を果たすアバットメントによって達成される。これらの溝は、好ましくは自身の近位端において円錐状の縦方向部分を有する。
【００２２】
最後に記載の施策は、歯科インプラント内へのアバットメントの「螺入」が、漏斗状の溝によってより容易に行なわれるという利点を有する。
【００２３】
最後に、本発明は、さらにまた、本発明にしたがった歯科インプラントに合わせられたクロージャスクリューに関する。このクロージャスクリューは、歯科インプラントの穴を閉鎖する頭部と、前記頭部に隣接する案内部と、歯科インプラントの第２の縦方向部分のねじと係合するねじ部とを有する。本発明によれば、前記案内部の直径は、歯科インプラントのカムの第２の案内面によって形成される直径に対応する。
【００２４】
クロージャスクリューの下端部が歯科インプラント内に螺入され、該スクリューの上端部が歯科インプラントのカムにより案内されることにより、歯科インプラントとクロージャスクリューとの間において極めて良好な接続が得られる。
【００２５】
本発明のさらに他の利点と実施例とは、詳細な説明と添付図面とに示されている。
【００２６】
前記および以下にさらに説明する特徴は、それぞれ記載の組み合わせだけではなしに、その他の組み合わせまたは単独でも、本発明の範囲から逸脱することなしに使用されうることが理解されよう。
【００２７】
以下に、例示的な実施例に基づき、図面を参照して、本発明をより詳細に説明する。
【実施例】
【００２８】
図１において、歯科インプラント（以下ではインプラントと略記）が略図に図示されるとともに、参照符号１０により示されている。このインプラント１０は、金属、好ましくはチタニウム、またはセラミック材料により製作される。インプラント１０は、ねじ１８を外側上に設けられて有する細長い回転対称構造を有する。この外ねじ１８を利用して、インプラント１０は、人間（または動物）の顎骨内に螺入されるとともに、該骨に螺着される。
【００２９】
インプラント１０の内側の構造は、図１ｂに示されている。インプラント１０は、近位端１４と遠位端１６とを有するインプラント本体１２によって構成される。インプラント本体１２の遠位端１６には、第１の縦方向部分２２と第２の縦方向部分２４とにわたって近位端１４の方向に延在する穴２０が設けられる。図１ｂにおいて、第１の縦方向部分２２における前記穴の直径は、第２の縦方向部分２における前記穴の直径より大きいことがはっきりと示されている。これにより、段が、第１の縦方向部分２２の底部において創出される。
【００３０】
内ねじ２６は、ねじを固定するために第２の縦方向部分２４に設けられる。
【００３１】
図１ｂから、さらにまた、遠位端１６において、穴２０とインプラント本体１２の外縁部との間に端面が配置されることがわかる。
【００３２】
穴２０の内側は、第１の縦方向部分２２の領域において、案内面２８として設計される。このことは、この穴が特に高度な寸法精度と良好な表面特性とを有することを意味する。
【００３３】
端面１７から直接始まる上側の第３の縦方向部分２３において、カム３０が穴２０の内面上に形成される。図２にはっきりと示されているように、カム３０は、半径方向内方に突出するとともに、インプラント本体の縦方向に延在する。これらのカム３０は、遠位端１６の方に向けられるとともに該遠位端から離れる方向に内側に向かって斜めに下降する上側フランク３２を有する。これに対して、反対側の下側フランク３４は、縦軸および第１の案内面２８に対して垂直である。
【００３４】
カム３０は、さらにまた、第２の案内面として設計される内向きの面３６を有する。図２からわかるように、このカム３０の第２の案内面３６は、仮想円３８の上に位置するように設計される。換言すれば、これらの２個の案内面３６の曲率半径は、図２に破線により示される円３８の半径に対応する。この直径は、さらにまた、第１の縦方向部分２２における穴２０の直径より小さく、かつ第２の縦方向部分２４における穴２０の直径に対応する。
【００３５】
この例証的な実施例では、合計３個のカムが設けられるとともに、互いに１２０°の距離をおいて均等に配置される。しかし、３個のカムを使用することは、純粋に一例として選択されたものであって、また他の個数も同様に考えられうる。ただし、ここで、１個のカムのみを使用することにより回転に対する防護を達成することはできるが、これでは追加の所望の案内機能を達成することはできないことに注意されたい。
【００３６】
さらにまた、図１および２から、第３の縦方向部分２３の領域におけるインプラント本体の肉厚１２は、特にねじ１８が設けられる後続の縦方向部分の肉厚より大きいことがわかる。ねじ１８の外径は、第３の縦方向部分２３におけるインプラント本体１２の外径に略対応する。
【００３７】
図１ｃに、前記のインプラントと比較すると若干改変されたインプラント１０´が示されている。相違点は、第３の縦方向部分２３が若干延長されて、カム３０が上端面１７からある距離に配置されるようになるところにある。さらにまた、穴２０は、縦方向部分２３の上側部分において、カム３０が位置する隣接部分より若干大きい直径を有する。
【００３８】
図３ａ〜３ｄにおいて、アバットメントが略図に図示されるとともに、参照符号５０により示されている。このアバットメント５０は、歯科インプラント１０内に固定されるとともに、たとえばクラウン用のセラミック構造を支持する。歯科インプラントの外側に位置するアバットメントの領域は、周知の構造に対応するため、以下ではこれ以上詳細には説明しない。
【００３９】
アバットメント５０は、第１の縦方向部分５４と、これに隣接する第２の縦方向部分５６とを有するアバットメント本体５２からなる。第１の縦方向部分５４は、セラミック構造を受ける役割を果たす一方で、第２の縦方向部分５６は、インプラント１０の穴２０内に挿入される。
【００４０】
アバットメント５０は、近位端６０から遠位端６２まで延在する穴５８を含む。アバットメント５０を歯科インプラント１０内において固定するために、ねじがこの穴５８を介して挿入されるとともに、インプラント１０のねじ２６に堅固に螺着せしめられる。
【００４１】
第２の縦方向部分５６は、案内面７２としての役割を果たす円筒状外面を有する円筒形状を有する。この部分５６の直径は、第１の縦方向部分２２の領域における穴２０の直径に対応する。アバットメント５０の第１の縦方向部分５４は、より大きい直径を有して、支持面７０を有する段が創出されるようになっている。挿入された状態において、この支持面７０は、インプラント１０の端面１７上に載る。
【００４２】
アバットメント５０の案内面７２には、溝６４が形成されるとともに、縦軸に対して平行に延在する。これらの溝６４は、下側の近位端６０から支持面７０に至るまで延在するとともに、近位端の方に向かって開口する。これらの溝６４の幅は、少なくとも歯科インプラント１０のカム３０の幅に対応する。
【００４３】
アバットメントを穴２０内により挿入しやすくするために、近位部分６６は、より幅広の領域が近位端６０に位置する円錐状の構成を有する。この漏斗形状により、カム３０を溝６４内により容易に「螺合」させることができる。
【００４４】
図３ｃおよび３ｄからわかるように、この例証的な実施例は、互いに１２０°の距離に配置される３本の溝６４を含む。
【００４５】
その結果として、アバットメント５０は、複数（３つの異なる）回転位置において、カム３０を溝６４内に係合させてインプラント１０内に挿入されうる。このカムと溝との嵌合接続により、回転に対する所望の安全性が達成される。
【００４６】
同時に、アバットメント５０の案内面７２は、穴２０の第１の縦方向部分２２における案内面２８と相互作用し、これにより、アバットメントが挿入時に遊びなしに案内されるとともに挿入された状態において遊びなしに保持されることが保証される。
【００４７】
カム３０の第２の案内面３６は、この場合は、いかなる機能も有さない。
【００４８】
ここで、さらにまた、溝６４は、支持面７０の領域において、該溝を左側および右側に開口させるアンダーカット部６８内に開口することがわかろう。
【００４９】
この施策は、生産技術上の理由から行なわれるとともに、溝６４が生産時に支持面７０の領域において幅狭になることを防ぐ。
【００５０】
すでに説明したように、アバットメント５０は、インプラント１０内に挿入されるとともに、穴５１内に螺入せしめられるねじにより正位置に螺着される。このようなねじは、図５の略図に図示されるとともに、参照符号９０により示されている。ねじ９０は、ねじ山９４を備える端部を有するシャンク９２を含む。このシャンク９２の厚さは、アバットメント５０内の穴５８の小さい方の直径に対応する（図３ａ参照）。
【００５１】
最後に、ねじ９０は、六角穴９８を有するねじ頭９６を有する。
【００５２】
インプラント１０が顎骨内に挿入された時点では、まだアバットメント５０を挿入することができないことは周知である。インプラント１０内の穴２０を治癒段階において密封するために、クロージャスクリューが適用される。このようなクロージャスクリューは、図４ａの略図に図示されるとともに、参照符号８０により示されている。クロージャスクリュー８０は、歯科インプラント内の穴２０の開口部を覆うカバーキャップ８２を含む。このカバーキャップ８２は、案内面８５を有するねじのネック８４に隣接する。最後に、ねじの下端部には、インプラント１０の内ねじ２６と係合するとともに案内面８５の直径以下の直径を有するねじ８６が設けられる。
【００５３】
案内面８５の直径は、図２に示される円３８の直径に対応するように選択される。これにより、カム３０の案内面３６は、ねじが挿入されるときに、案内面８５上において支持される。このことは、図４ｂにはっきりと示されている。
【００５４】
カム３０の案内面３６は、インプラント１０の遠位端１６から直接始まるため、クロージャスクリュー８０は、案内面８５がカム３０の案内面３６と係合することにより即座に案内されて、安全に挿入されるとともに、正位置に螺着せしめられうるようになる。
【００５５】
したがって、要約すれば、本発明にしたがった歯科インプラント１０は、回転に対して防護されるとともに、さらにまた非常に短い部分（縦方向部分２３）の内側においてクロージャスクリュー８０を案内することがわかろう。カム３０の側部フランクと溝６４とが協働して回転に対する防護を達成する一方で、カム３０の曲面状の内面は、クロージャスクリューの対応する案内面と係合する案内面としての役割を果たす。
【００５６】
最後に、図示された実施例は、純粋に一例として示されたものであって、変形態様が考えられうることがわかろう。たとえば、インプラント内のカムの個数は、容易に増加せしめられうる。ただし、カムの個数は、必ずアバットメントの溝の個数の偶数倍でなければならない。さらにまた、アバットメント５０は、図１ｃのインプラント１０´とともに用いられる場合には、縦方向部分５６の領域において改変されなければならないことに注意されたい。特に、溝６４は支持面７０に至るまで延在しなくてもよいため、アンダーカット部６８は排除されうる。その他の必要な変更が、歯科インプラント１０´の設計から直接発生するが、詳細をここに示す必要はない。
【００５７】
さらに、カムの案内面は、クロージャスクリューを案内する役割を果たすだけではないことがわかろう。最後に、カムは、ねじ込み工具のための係合面としての役割も果たしうる。
【図面の簡単な説明】
【００５８】
【図１】ａ、ｂ、ｃは、本発明による歯科インプラントとその変形態様との側面図である。
【図２】前記歯科インプラントの略図である。
【図３】ａ〜ｄは、本発明によるアバットメントの異なる略図である。
【図４】ａ、ｂは、一方の図では、本発明による歯科インプラント内に挿入されているクロージャスクリューの略図である。
【図５】歯科インプラント内においてアバットメントを固定するねじの略図である。
【図１】
2009525064.tif 000003
【図２】
2009525064.tif 000004
【図３】
2009525064.tif 000005
【図４】
2009525064.tif 000006
【図５】
2009525064.tif 000007
【国際調査報告】
2009525064.tif 000008
2009525064.tif 000009
2009525064.tif 000010
2009525064.tif 000011
2009525064.tif 000012
2009525064.tif 000013